(57)【要約】【課題】呼吸による空気の汚れを短時間で理解してもらうことができる、呼吸による空気の汚れを表現する設備及び表現方法を提供する。【解決手段】人を立ち姿勢で収容する縦長の閉じられた狭小室２が備えられ、該室２は内部の人４の存在を外から目視できるように形成されている。また、室２の内部の上半部の高さ範囲内のいずれかの高さ位置における二酸化炭素濃度を検知する検知器６が備えられると共に、該検知器６で検知された室２の内部の濃度情報を周囲の人５にリアルタイムで表示する表示パネル７が備えられている。かかる設備を用いて、人に室に入ってもらい、室の内部の二酸化炭素濃度を検知し、表示していく。【選択図】      図１
2006106093.tif 000002
【特許請求の範囲】
【請求項１】
人を立ち姿勢で収容する縦長の閉じられた狭小室が備えられ、
該室は内部の人の存在を外から目視できるように形成されており、
室の内部の上半部の高さ範囲内のいずれかの高さ位置における二酸化炭素濃度を検知する検知器が備えられると共に、
該検知器で検知された室の内部の濃度情報を周囲の人にリアルタイムで表示する表示手段が備えられていることを特徴とする、呼吸による空気の汚れを表現する設備。
【請求項２】
前記狭小室がボックスで構成され、二酸化炭素濃度検知器がボックスの天面部に設置されている請求項１に記載の、呼吸による空気の汚れを表現する設備。
【請求項３】
請求項１又は２に記載の設備を用い、人に室に入ってもらい、室の内部の二酸化炭素濃度を検知し、表示していくことを特徴とする、呼吸による空気の汚れを表現する方法。
【発明の詳細な説明】
【技術分野】
【０００１】
本発明は、呼吸による空気の汚れを表現する設備及び表現方法に関する。
【背景技術】
【０００２】
例えば、住宅に関する様々な体験や知識の習得を目的として体験展示場をつくるような場合に、テーマの一つとして呼吸による空気の汚れを採り上げ、集まった人たちにそれをわかりやすく理解してもらう方法として、閉じられた室内を用意し、そこに人に入ってもらい、室内の二酸化炭素濃度を測定し表示して、周囲の人達に二酸化炭素濃度の上昇をリアルタイムで見てもらうという方法が考えられる。
【発明の開示】
【発明が解決しようとする課題】
【０００３】
しかしながら、人の呼吸は、普通、ゆっくりとしており、室内の二酸化炭素の上昇には時間を要し、集まった人達を退屈させ、中途にて離散させてしまうおそれがある。
【０００４】
本発明は、上記のような問題点に鑑み、呼吸による空気の汚れを短時間で理解してもらうことができる、呼吸による空気の汚れを表現する設備及び表現方法を提供することを課題とする。
【課題を解決するための手段】
【０００５】
上記の課題は、人を立ち姿勢で収容する縦長の閉じられた狭小室が備えられ、
該室は内部の人の存在を外から目視できるように形成されており、
室の内部の上半部の高さ範囲内のいずれかの高さ位置における二酸化炭素濃度を検知する検知器が備えられると共に、
該検知器で検知された室の内部の濃度情報を周囲の人にリアルタイムで表示する表示手段が備えられていることを特徴とする呼吸による空気の汚れを表現する設備によって解決される。
【０００６】
上記の設備及び方法では、室が、人を立ち姿勢で収容する縦長の閉じられた狭小室からなるので、そのような室に入ってもらうことで、室内の二酸化炭素の濃度を短時間で上昇させることができ、集まった人達に、呼吸による空気の汚れを短時間で理解してもらうことができる。特に、立ち姿勢では人の呼吸も荒くなり、室内の二酸化炭素を短時間で上昇させることができる。
【０００７】
しかも、二酸化炭素濃度検知器は、室の内部の上半部の高さ範囲内のいずれかの高さ位置における二酸化炭素濃度を検知するように備えられているので、立ち姿勢で人の呼吸が行われ二酸化炭素が集中する室の内部の上半部の高さ範囲での検知を通じて、呼吸による空気の汚れを周囲の人に、より一層短時間で理解してもらうことができる。
【０００８】
また、人を立ち姿勢で収容する縦長の閉じられた狭小室を用いて表現設備を構成することにより、上記のように、集まった人達への短時間理解を実現することができるのみならず、設備の平面サイズを小さくすることができて、設備の設置スペースの確保を容易にすることができる。
【０００９】
更に、室は内部の人の存在を外から目視できるように形成されているので、室内の人の健康状態を外部からチェックすることができ、無理のない協力をしてもらうことができる。
【００１０】
上記の設備において、狭小室がボックスで構成され、二酸化炭素濃度検知器がボックスの天面部に設置されている場合は、室内の二酸化炭素を検知する高さ位置との関係で、検知位置と検知器の位置との距離を短くすることができ、しかも、それを、設備の平面サイズを大きくすることなく実現することができる。
【００１１】
また、上記の課題は、以上の設備を用い、人に室に入ってもらい、室の内部の二酸化炭素濃度を検知し、表示していくことを特徴とする呼吸による空気の汚れを表現する方法によって同様に解決される。
【発明の効果】
【００１２】
本発明は、以上のとおりのものであるから、呼吸による空気の汚れを短時間で理解してもらうことができる。
【発明を実施するための最良の形態】
【００１３】
次に、本発明の実施最良形態を図面に基づいて説明する。
【００１４】
図１に示す第１実施形態の設備は、換気がある場合とない場合とで、室内の二酸化炭素濃度にどれだけの差を生じるかを、集まった人達に理解してもらうためのもので、１はボックスであり、ボックス１は２つ備えられ、室２…は各ボックス１…内に形成されている。そして、各室２は、人を立ち姿勢で収容する縦長の閉じられた狭小室からなっていて、それに対応するようにボックス１も縦長のものに設計されている。ちなみに、ボックス１のサイズは、例えば、９００ｍｍ四方で高さが２１００ｍｍ程度の、平面サイズがコンパクトなものからなっている。
【００１５】
また、該ボックス１には、正面側に出入り用の扉３が備えられ、該扉３は透明で、内部の人４の存在を外から目視することができると共に、内部の人４の様子も目視できるようになされている。
【００１６】
更に、ボックス１の天面部には、二酸化炭素濃度検知器６が設置され、該検知器６から、採取管６ａが延ばされ、該採取管６ａの先端部は、室２の内部の上半部の高さ範囲内のいずれかの高さ位置に配置され、その高さ位置における室内の二酸化炭素濃度を検知するようになされている。
【００１７】
そして、正面側の扉３のすぐ上には、二酸化炭素濃度を表示する表示手段としての表示パネル７が設けられ、検知器６で検知された二酸化炭素濃度をボックス１の周囲に集まった人達５…に対してリアルタイムで表示されるようになされている。
【００１８】
また、本実施形態では、一方のボックス１に対して、下端側の側面部に換気扇８付き給気口９が設けられると共に、上端側の対向側面部に、換気扇８付きの排気口１０が設けられ、そのボックス１の室２の内部を換気することができるようになされている。また、換気機能をもたされたボックス１には「換気あり」の標示１１がなされ、換気機能のもたされていないもう一方のボックス１には「換気なし」の標示１２がなされて、集まった人に各ボックス１…内の状況を容易に把握してもらうことができるようになされている。なお、いずれのボックス１…も同様の態様で室内の換気を行えるようになされていてもよい。
【００１９】
上記の表現設備では、両ボックス１…のそれぞれに人４…に入ってもらい、室２…を閉じ、換気ありの標示１１のなされているボックス１の換気扇８，８を駆動する。すると、時間の経過と共に、換気のなされていない方のボックス１の表示パネル７に表示される二酸化炭素濃度と、換気のなされている方のボックス１の表示パネル７に表示される二酸化炭素濃度との間に大きな差を生じていき、集まった人達５…に、換気をしなければ、室内の空気は、二酸化炭素によって汚れてしまうことを理解してもらうことができる。
【００２０】
そして、上記の設備を構成している各ボックス１内の室２は、人４を立ち姿勢で収容する縦長の閉じられた狭小室からなるので、換気無しのボックス１の室内の二酸化炭素の濃度を短時間で上昇させることができ、集まった人達５…に、呼吸による空気の汚れを短時間で理解してもらうことができる。特に、立ち姿勢で室２の内部に入ってもらうことで、二酸化炭素の濃度上昇との相乗効果によって、その人４の呼吸を荒くして、ボックス１内の二酸化炭素を短時間で上昇させていくことができる。
【００２１】
しかも、濃度検知器６の採取管６ａの先端部は、室２の内部の上半部の高さ範囲内のいずれかの高さ位置に配置されているので、人４の呼吸で集中的に汚れるその高さ範囲の二酸化炭素濃度を検知することで、呼吸による空気の汚れを周囲の人５…により一層短時間で理解してもらうことができる。
【００２２】
更に、各ボックス１…の室２の内部は、透明な扉３を透して外から目視できるようになされているので、室２の内部の人４の健康を外部からチェックすることができ、無理のない協力をしてもらうことができる。
【００２３】
図２に示す第２実施形態は、いずれのボックス１…も換気無しの状態で、一方のボックス１には二人入ってもらい、もう一方のボックス１には一人入ってもらい、時間の経過に伴って、各ボックス１…の室内の二酸化炭素濃度にどれだけの差を生じるかを、集まった人達５…に理解してもらうようにしたものである。その他は第１実施形態と同様である。
【００２４】
また、図３に示す第３実施形態は、いずれのボックス１…にも、換気扇８付き排気口１０が設けられると共に、給気口９に換気用のガラリ１３が設置されており、一方のボックス１ともう一方のボックス１とで給気口９の開度をガラリ１３で異ならせ、各ボックス１…内に人４に入ってもらい、換気扇８…を駆動することで、時間の経過に伴って、各ボックス１…内の二酸化炭素濃度にどれだけの差を生じるかを、集まった人達５…に理解してもらうようにしたものである。その他は第１実施形態と同様である。
【００２５】
以上に、本発明の実施形態を示したが、本発明はこれに限られるものではなく、発明思想を逸脱しない範囲で各種の変更が可能である。例えば、本発明の設備と方法では、表現しようとする内容の種類に制限はないし、二酸化炭素による空気の汚れを一つのボックスで表現する構成としてもよいし、室はボックスによらずに形成されたものであってもよい。
【図面の簡単な説明】
【００２６】
【図１】第１実施形態を示すもので、設備を示す正面図である。
【図２】第２実施形態を示すもので、設備を示す正面図である。
【図３】第３実施形態を示すもので、設備を示す正面図である。
【符号の説明】
【００２７】
１…ボックス
２…室
３…透明な扉
６…二酸化炭素濃度検知器
６ａ…採取管
７…表示パネル（表示手段）
【図１】
2006106093.tif 000003
【図２】
2006106093.tif 000004
【図３】
2006106093.tif 000005